(57)【要約】仕切り板や側板付きの接続板を含むパネル連結具である。その中には四角パイプおよび四角パイプに取り付けられる四角ナットも含まれる。四角パイプの表面にて四角ナットのネジと噛みあえる穴が開けている。スクリューと接続しており、片側がネジを設け  反対側が凹んた環状スリットが設けている。接続板の接続部には垂直な深い穴があり、穴の底部にてロータリーロックがはめている。そして、接続スクリューをそれぞれ深く穴とロータリーロックに差し入れて、フックをその環状スリットとロックさせる。それによって、速やかに気軽に何れかの容積  さまざまの形状やデザインであるロッカー本体またはラックなどを組み立てたり拡大したりすることができる。
2004537017.tif 000002
【特許請求の範囲】
【請求項１】
分解フリーの拡張式パネル連結具で、仕切り板や側板付きの接続板を含む。その特徴は四角パイプおよび四角パイプ内の六つ面中央部にネジ穴が設けている四角ナットなどが含む。四角パイプの表面にて四角ナットのネジ穴と対応する穴が開けている。そして、接続用のスクリューを含み、片側はねじ山が付き、四角ナットのネジ穴と繋がる。反対側は凹んだ環状スリットが設けられる。記載される接続板はエッジ部にパネル耳部と垂直となる深い穴を開けており、各穴の底部にロータリーロックがはめている。記載される接続スクリューの反対側は接続板の関係ある深い穴に差し入れ、ロータリーロックにより凹んだ環状スリットにはめ込み固定する。
【請求項２】
請求範囲１に記載される分解フリーの拡張式パネル連結具の特徴は、前述のように四角パイプに少なくとも２つ以上のスライド式四角ナットが取り付けられること。
【請求項３】
請求範囲１に記載される分解フリーの拡張式パネル連結具の特徴は、前述のように接続板が少なくとも２本以上の接続エッジラインを持つこと。
【請求項４】
請求範囲１または３に記載される分解フリーの拡張式パネル連結具の特徴は、前述のように各接続エッジラインに少なくとも２つ以上の深い穴を持つこと。
【請求項５】
請求範囲４に記載される分解フリーの拡張式パネル連結具の特徴は、前述のように接続板の接続エッジラインにある深穴の底部に１つの深穴と垂直となるブライドホールが開けられ、ロータリーロックがそのブライドホールにはめ込んでいること。
【請求項６】
請求範囲１に記載される分解フリーの拡張式パネル連結具の特徴は、前述のように接続板が四角の木製板または四角のプラスチック製板であること。
請求範囲１に記載される分解フリーの拡張式パネル連結具の特徴は、前述のように四角パイプの耳部に化粧ギャップがはめている。
【発明の詳細な説明】
【技術分野】
本発明は家具のロッカー本体を接続する連結具、特に分解フリーの拡張式パネル連結具に関するものである。
【背景技術】
従来の技術において、家具のロッカー本体は寸法が決まった側板、上板やし下板などの組合せによって接続された物だった。その欠点はユーザがサプライヤーに提出されるパターンに従うしかないが、ユーザの必要に応じて組み立てることができない。ユーザが容量などを増やしたがる時、仕方なく新しいロッカー本体を購入してしまい、元の本体に基づきその上で新しい本体やラックを拡張することができない。
【発明の開示】
本発明の目的は分解フリーの拡張式パネル連結具を提供することにある。連結具を通じて四角の接続板によって何れかの容積や形状のロッカー本体またはラックを組みだてたり拡張したりする。
本発明による技術対策とは次のように記載している。分解フリーの拡張式パネル連結具で、仕切り板や側板付きの接続板を含み  四角パイプおよび四角パイプ内の六つ面中央部にネジ穴が設けている四角ナットなども含む。四角パイプの表面にて四角ナットのネジ穴と対応する穴が開けている。そして、接続用のスクリューを含み、片側はねじ山が付き、四角ナットのネジ穴と繋がる。反対側は凹んだ環状スリットが設けられる。記載される接続板はエッジ部にパネル耳部と垂直となる深い穴を開けており、各穴の底部にロータリーロックがはめている。記載される接続スクリューの反対側は接続板の関係ある深い穴に差し入れ、ロータリーロックにより凹んだ環状スリットにはめ込み固定する。
但し、前述のように四角パイプに少なくとも２つ以上のスライド式四角ナットが取り付けられること。前述のように接続板が少なくとも２本以上の接続エッジラインを持つこと。前述のように各接続エッジラインに少なくとも２つ以上の深い穴を持つこと。前述のように接続板の接続エッジラインにある深穴の底部に１つの深穴と垂直となるブライドホールが開けられ、ロータリーロックがそのブライドホールにはめ込んでいること。前述のように接続板が四角の木製板または四角のプラスチック製板であること。前述のように四角パイプの耳部に化粧ギャップがはめている。
本発明の連結具はアルミ合金やステンレス或いはプラスチック成形のチューブレス四角型材などを採用して結構である。このようにして四角ナットを省くことができ、直接にチューブレス四角型材の上で対応する位置で穴を開けたりタッピングしたりして、接続スクリューを取り付ければいい。
【発明を実施するための形態】
【実施例】
実施例１
図１−図６に示される如く、本発明に記載される接続パーツの構造および接続板の接続構造は次に示す通りである。この接続パーツ９は四角パイプ３、四角ナット１および接続スクリュー２で構成されている。述べられる四角ナット１の六つ面中心にネジ穴が開けられ  六つのネジ穴のセンターラインが四角ナット１の中心点と交差している。四角パイプ３の中にスライド方式によって２つまたは２つ以上の四角ナット１を付けてある。各四角ナット１が四角パイプ３の中にある位置を決めた後、四角パイプ３における各四角ナット１のネジ穴位置で貫通穴を開けておく。接続スクリュー２は片側にねじ山を設け、反対側に凹んだ環状スリット７を設ける。そして接続スクリュー２のねじ山側を次々と四角ナット１のネジ穴にねじ込み、四角パイプ３の両端に化粧ギャップ８をはめ込んで、完全な接続パーツ９を作り上げる。
接続板４は仕切り板と側板などを含む。接続相手のパネルエッジ部に四角パイプ３にある各貫通穴に対応する位置にて垂直となる深い穴を開けている。深い穴の底部にそれぞれ深い穴と垂直となるブライドホールがあり、ロータリーロック５のはめ込みに利用される。このロータリーロック５には２つのフック６が設けて  片側に十字型スリットが設けている。はめ込むとき、接続パーツ９の接続スクリュー２が接続板４の深い穴に差し入れる際  凹んだ環状スリット７をロータリーロック５の中に入れる。そしてプラスドライバーでロータリーロック５の片側にある十字型溝に差し入れ、少しぐらい廻す。その際フック６が凹んだ環状スリット７に入ってロックされ、図２に示されるように接続パーツと接続板４はしっかりと接続される。
実施例２
図７と図８に示される如く、本発明に記載されるロッカー単体の接続構造は次のとおりである。先ずロッカー成形用の４枚の四角接続板４でエッジ部と垂直となる深い穴を開け  深い穴の底部にそれと垂直となるブライドホールが開け、ロータリーロック５のはめ込み用に利用される。そして接続パーツ９と関係ある４本の接続スクリュー２をそれぞれ４枚の接続板４に対応する深い穴に挿入し、ロータリーロック５を増し締めて、ロッカーフレームが出来上がる。ロッカー本体を作り上げるためには、フレームの裏側に裏パネル１０を取り付けること。表側に扉パネルを取り付ければロッカー単体が出来上がる。
実施例３
図９と図１０に示される如く、この２つの付図が一つのロッカー本体またはフレームがさまざまの配列による組合せ式ロッカー本体やフレームなどを拡張する具体的な実例である。先ず拡張しようとする接続板４の上で深い穴を開け、ロータリーロック５をはめ込む。拡張向きにある接続パーツ９に接続スクリュー２をねじ込んで、対応する接続板４を接続スクリュー２にはめ込み、ロータリーロック５をしっかりと締める。このようにしていろんなパターンのラック棚  例えば骨董品置き、酒置き棚などを組み立てることができる。裏板を取り付ければさまざまのロッカー本体  例えば本棚、テレビ置きラック、階段式ラック、展示用ラックなどを作り上げる。扉パネルを取り付ければいろんなパターンの組合せロッカーが出来上がる。
【産業上の利用可能性】
この分解フリーの拡張式パネル連結具は汎用型の四角接続板パーツおよびロータリーロックを通じて、四角パイプ  四角ナット  接続スクリューなどで構成される汎用型の接続パーツによって何れかの容積や形状のロッカー本体またはラックなどを速やかに組み立てたり拡張したりすることができる。
従来の技術と比べれば、本発明は次のような長所を持つ。広く応用される。構造がシンプルで、取り扱いが便利、通用性がいい。なお、互換性に優れて、基準レベルも高い。随時に新しいロッカー本体、ラックを増やしたり、任意にもとのロッカー本体、ラックパターンを変えたりすることができる。新たにロッカー本体やラックを増やす場合、元のロッカー本体やラックなどを取り外す必要が無く、元のパーツをそのまま再利用することができる。材料の節約  コストダウンおよび省エネにも役立つ。
【図面の簡単な説明】
次は付図によって具体的に本発明を説明する。
【図１】本発明の接続板と接続パーツとの接続構造略図を示す。
【図２】図１のＡ部拡大図を示す。
【図３】図１のＡ−Ａ断面図を示す。
【図４】図３のＢ部拡大図を示す。
【図５】本発明における四角パイル  四角ナット  接続スクリューなどの接続関係を示す。
【図６】図５の左側より見られる断面図を示す。
【図７】本発明におけるロッカー単体の接続構造解説図を示す。
【図８】組立後のロッカー単体立体図を示す。
【図９】マルチユニットロッカー単体の接続構造略図を示す。
【図１０】マルチユニット化粧ラックの接続構造略図を示す。
【国際公開パンフレット】
2004537017.tif 000003
2004537017.tif 000004
2004537017.tif 000005
2004537017.tif 000006
2004537017.tif 000007
2004537017.tif 000008
2004537017.tif 000009
2004537017.tif 000010
2004537017.tif 000011
2004537017.tif 000012
2004537017.tif 000013
【国際調査報告】
2004537017.tif 000014
2004537017.tif 000015
2004537017.tif 000016
2004537017.tif 000017